(57)【特許請求の範囲】
【請求項１】
主体を含み、前記主体の中の右上端にはろ過装置が設置され、前記ろ過装置は前記主体の中の右上端に設置されたろ過空間を含み、前記ろ過空間の左右両壁の間にはろ過箱が前後にスライド可能に設置され、前記ろ過箱の下端にはろ過板が固定的に設置され、前記ろ過空間の上端には上方に開口した吸い殻入り口が連通され、廃棄吸い殻は前記吸い殻入り口を介して前記ろ過空間の中に落ちて前記ろ過箱の前後方向のスライドを通じて前記ろ過板により灰をろ過し、前記主体の中の左端中心には粉砕装置が設置され、前記粉砕装置は前記主体の中の左端中心に設置された粉砕空間を含み、前記粉砕空間の上下壁の間には粉砕回転軸が回転可能に設置され、前記粉砕回転軸の外周面には上下交差するように配列された三つの粉砕カッターが固定的に設置され、前記粉砕空間の上壁右端と前記ろ過空間の左壁下端との間には第一通路が連通され、廃棄吸い殻は前記ろ過装置により灰をろ過してから前記第一通路を経由して前記粉砕空間の中に落ちて粉砕され、前記主体の中の左下端には押出装置が設置され、前記押出装置は前記主体の中の左下端に設置された押出空間を含み、前記押出空間の内壁には左右にスライド可能な押出板が設置され、前記押出空間の上壁右端と前記粉砕空間の下壁左端とが第二通路により連通され、粉砕後の吸い殻は第二通路を介して押出空間の中に落ちて押出板からの圧力により最終に回収されることを特徴とする廃棄吸い殻の回収処理装置。
【請求項２】
前記ろ過空間の右壁の中にはクランク空間が設置され、前記クランク空間の下壁には第一固定板が固定的に設置され、前記第一固定板の中には前記クランク空間の左壁に回転可能に連結されたクランク回転軸が左右に貫通するように設置され、前記クランク回転軸の右端には第一従動傘歯車が固定的に設置され、前記クランク空間の後壁には第一回転軸が回転可能に設置され、前記第一回転軸の前端には第一主動傘歯車が固定的に設置され、前記第一主動傘歯車と前記第一従動傘歯車とが噛み合っており、前記クランク回転軸の外周面の左端には前記第一固定板の左側に位置するクランク円盤が固定的に設置され、前記クランク空間の左壁の上端と前記ろ過空間の右壁の上端とが小スライドレールにより連通され、前記ろ過箱の右端には第一支持ロッドが固定的に設置され、前記第一支持ロッドが伸びて前記小スライドレールを通過して前記クランク空間の中に入り、前記第一支持ロッドの右端には第一スライドロッドが固定的に設置され、前記第一スライドロッドの右端と前記クランク円盤の左端とがクランクにより連結され、前記クランク空間の前後壁には前記第一スライドロッドの前後側に位置する第一固定ブロックが固定的に設置され、前記第一固定ブロックの中には中心側に開口した第一固定ブロックスライドレールが設置され、前記第一スライドロッドの前後両端が前記第一固定ブロックスライドレールの中に伸びており、かつ前記第一固定ブロックスライドレールの内壁に対して前後にスライドすることを特徴とする請求項１に記載の廃棄吸い殻の回収処理装置。
【請求項３】
前記粉砕空間の下壁の中には前記押出空間の上側に位置する歯車空間が設置され、前記粉砕回転軸の下端が前記歯車空間の中に伸びており、かつ前記粉砕回転軸の下端には主動平歯車が固定的に設置され、前記歯車空間の上下壁の間には前記粉砕回転軸の右側に位置する第二回転軸が回転可能に設置され、前記第二回転軸の外周面の下端には従動平歯車が固定的に設置され、前記従動平歯車と前記主動平歯車とが噛み合っており、前記第二回転軸の外周面の上端には第一主動ベルトプーリが固定的に設置されていることを特徴とする請求項２に記載の廃棄吸い殻の回収処理装置。
【請求項４】
前記押出空間の右壁の中には前記歯車空間の下端に位置するスライダプッシュロッド空間が設置され、前記スライダプッシュロッド空間の内壁には第一スライダが左右にスライド可能に設置され、前記第一スライダの左端には第一プッシュロッドが固定的に設置され、前記第一プッシュロッドの左端が前記押出空間の中に伸びておりかつ前記押出板の右端と固定的に連結されていることを特徴とする請求項３に記載の廃棄吸い殻の回収処理装置。
【請求項５】
前記歯車空間の後壁と前記スライダプッシュロッド空間の後壁とが複合伝動空間により連通され、前記複合伝動空間の上壁には第三回転軸が回転可能に設置され、前記第三回転軸の外周面の上端には第一従動ベルトプーリが固定的に設置され、前記第一従動ベルトプーリと前記第一主動ベルトプーリとの間には第一ベルトが巻き付くように設置され、前記第三回転軸の下端には第三回転軸円盤が固定的に設置され、前記第三回転軸円盤の下端面の後側には第一ピンが固定的に設置され、前記複合伝動空間の下壁には第四回転軸が固定的に設置され、前記第四回転軸の上端には開口支持ロッドが回転可能に設置され、前記開口支持ロッドの中の後端には第一ピンスライド溝が上下に貫通するように形成され、前記第一ピンが前記第一ピンスライド溝の中に伸びておりかつ前記第一ピンスライド溝に対して前後方向にスライドし、前記開口支持ロッドの前端には扇状歯車が固定的に設置され、前記第一スライダの後端には支持ブロックが固定的に設置され、前記支持ブロックの後端には第二スライドロッドが固定的に設置され、前記第二スライドロッドの後端にはラックが固定的に設置され、前記ラックと前記扇状歯車とが噛み合っており、前記複合伝動空間の左右壁には前記第二スライドロッドの左右側に位置する第二固定ブロックが固定的に設置され、前記第二固定ブロックの中には中心側に開口した第二スライドロッド空間が設置され、前記第二スライドロッドの左右両端が前記第二スライドロッド空間の中に伸びておりかつ前記第二スライドロッド空間の内壁に対して左右方向にスライドすることを特徴とする請求項４に記載の廃棄吸い殻の回収処理装置。
【請求項６】
前記複合伝動空間の上壁後端には前記第三回転軸の後側に位置する第二固定板が回転可能に設置され、前記第二固定板の中には前記複合伝動空間の後壁に回転可能に連結された第五回転軸が左右に貫通するように設置され、前記第五回転軸の前端には第二従動傘歯車が固定的に設置され、前記第三回転軸の外周面の中心には第二主動傘歯車が固定的に設置され、前記第二主動傘歯車と前記第二従動傘歯車とが噛み合っており、前記第五回転軸の外周面の後端には第二主動ベルトプーリが固定的に設置されいていることを特徴とする請求項５に記載の廃棄吸い殻の回収処理装置。
【請求項７】
前記複合伝動空間の右壁後端にはプーリ空間が連通するように設置され、前記プーリ空間の前後壁の間には前記第一回転軸の下端に位置する第六回転軸が回転可能に設置され、前記第六回転軸の外周面には第二従動ベルトプーリが固定的に設置され、前記第二従動ベルトプーリと前記第二主動ベルトプーリとの間には第二ベルトが巻き付くように設置され、前記第六回転軸の外周面の前端には第三主動ベルトプーリが固定的に設置され、前記プーリ空間の上壁後端には上方に延びる第二プーリ空間が連通するように設置され、前記第一回転軸の後端が前記第二プーリ空間の中に伸びておりかつ前記第二プーリ空間の後壁に回転可能に連結され、前記第一回転軸の外周面の前端には第三従動ベルトプーリが固定的に設置され、前記第三従動ベルトプーリと前記第三主動ベルトプーリとの間には第三ベルトが巻き付くように設置されていることを特徴とする請求項６に記載の廃棄吸い殻の回収処理装置。
【請求項８】
前記ろ過箱の左端の中には伸縮ロッド空間が設置され、前記伸縮ロッド空間の上壁には伸縮ロッドが固定的に設置され、前記伸縮ロッド空間の下壁には前記ろ過箱の左壁を左右に貫通したろ過出口が連通され、前記ろ過出口が前記第一通路の右壁に連通し、前記伸縮ロッドの下端には止め板が固定的に設置され、前記止め板は前記ろ過出口の中に延びることができ、前記伸縮ロッド空間の上壁の中にはエアシリンダが固定的に設置され、前記エアシリンダの下端と前記伸縮ロッドの上端とが伝動可能に連結されていることを特徴とする請求項１に記載の廃棄吸い殻の回収処理装置。
【請求項９】
前記ろ過空間の左壁内の上端にはろ過スライドレールが設置され、前記ろ過箱の左端にはろ過スライダが固定的に設置され、前記ろ過スライダが前記ろ過スライドレールの中に伸びておりかつ前記ろ過スライドレールの内壁に対して前後方向にスライドすることを特徴とする請求項１に記載の廃棄吸い殻の回収処理装置。
【請求項１０】
前記ろ過空間の下壁右端には右下側へ前記主体の右端面に伸びた灰通路が連通され、廃棄吸い殻が前記ろ過板により灰をろ過した後、ろ過された灰が前記灰通路を介して送り出され、前記押出空間の下壁左端には左下側へ前記主体の左端面に伸びた回収物通路が連通され、前記押出板により押し出された回収物は前記回収物通路を介して送り出され、前記粉砕空間の上壁の中には起動モーターが固定的に設置され、前記起動モーターの下端と前記粉砕回転軸の上端とが伝動可能に連結されていることを特徴とする請求項１に記載の廃棄吸い殻の回収処理装置。
【発明の詳細な説明】
【技術分野】
【０００１】
本願発明は吸い殻回収技術分野に関わり、具体的には廃棄吸い殻の回収処理装置である。
【背景技術】
【０００２】
紙巻きバタコとは、刻みバタコを紙で筒状に巻いたもので、太さは７ｍｍ程度で、長さは８５ｍｍから１００ｍｍ程度が一般的である。太さ５．４ｍｍ程度のものや、９ｍｍ近いものもあり、長さも短いものは６５ｍｍ程度の物もある。たいていフィルターがついており、また様々なフレイバーを添加しているものもある。パイプなどと違い、他の喫煙器具を要せず、着火装置さえあればバタコ単体でそのまま喫煙できるよう加工されているため、広く普及している。紙の材料は主に麻やパルプである。紙の燃える臭いを押さえ燃焼速度を刻みバタコとあわせるためにシガレットペーパーには炭酸カルシウムが加えられており、また国によっては紙にアンモニウム、フォスフェート、炭酸マグネシウム、酒石酸カリウム、酒石酸ナトリウムなどが加えられることも有り、タバコ葉には匂いをよくするために香料が加えられることが多く、よく使われる香料には糖類、ココア、カンゾウ、メンソール、ラム酒、バニラ等がある。これらの香料はタバコ葉に直接染みこませたり、フィルターもしくはシガレットペーパーに染み込ませたりされる。バタコを吸う時に生み出されたタバコの灰及びタバコを吸った後に捨てられた吸い殻は環境に大きな危害を及ぼすとともにタバコを燃やすことにより生じた煙も人の健康に悪影響を与える。本願発明は上記の問題を解決できる。
【先行技術文献】
【特許文献】
【０００３】
【特許文献１】中国特許出願公開第１０８９３６８１１号明細書
【発明の概要】
【発明が解決しようとする課題】
【０００４】
技術上の問題：
タバコを吸う時に生み出されたタバコの灰及びタバコを吸った後に捨てられた吸い殻は環境に大きな危害を及ぼす。
【課題を解決するための手段】
【０００５】
上記の問題を解決するために、本願発明は廃棄吸い殻の回収処理装置を設計した。本願発明の廃棄吸い殻の回収処理装置は、主体を含み、前記主体の中の右上端にはろ過装置が設置され、前記ろ過装置は前記主体の中の右上端に設置されたろ過空間を含み、前記ろ過空間の左右両壁の間にはろ過箱が前後にスライド可能に設置され、前記ろ過箱の下端にはろ過板が固定的に設置され、前記ろ過空間の上端には上方に開口した吸い殻入り口が連通され、廃棄吸い殻は前記吸い殻入り口を介して前記ろ過空間の中に落ちて前記ろ過箱の前後方向のスライドを通じて前記ろ過板により灰をろ過し、前記主体の中の左端中心には粉砕装置が設置され、前記粉砕装置は前記主体の中の左端中心に設置された粉砕空間を含み、前記粉砕空間の上下壁の間には粉砕回転軸が回転可能に設置され、前記粉砕回転軸の外周面には上下交差するように配列された三つの粉砕カッターが固定的に設置され、前記粉砕空間の上壁右端と前記ろ過空間の左壁下端との間には第一通路が連通され、廃棄吸い殻は前記ろ過装置により灰をろ過してから前記第一通路を経由して前記粉砕空間の中に落ちて粉砕され、前記主体の中の左下端には押出装置が設置され、前記押出装置は前記主体の中の左下端に設置された押出空間を含み、前記押出空間の内壁には左右にスライド可能な押出板が設置され、前記押出空間の上壁右端と前記粉砕空間の下壁左端とが第二通路により連通され、粉砕後の吸い殻は第二通路を介して押出空間の中に落ちて押出板からの圧力により最終に回収される。
【０００６】
有益なように、前記ろ過空間の右壁の中にはクランク空間が設置され、前記クランク空間の下壁には第一固定板が固定的に設置され、前記第一固定板の中には前記クランク空間の左壁に回転可能に連結されたクランク回転軸が左右に貫通するように設置され、前記クランク回転軸の右端には第一従動傘歯車が固定的に設置され、前記クランク空間の後壁には第一回転軸が回転可能に設置され、前記第一回転軸の前端には第一主動傘歯車が固定的に設置され、前記第一主動傘歯車と前記第一従動傘歯車とが噛み合っており、前記クランク回転軸の外周面の左端には前記第一固定板の左側に位置するクランク円盤が固定的に設置され、前記クランク空間の左壁の上端と前記ろ過空間の右壁の上端とが小スライドレールにより連通され、前記ろ過箱の右端には第一支持ロッドが固定的に設置され、前記第一支持ロッドが伸びて前記小スライドレールを通過して前記クランク空間の中に入り、前記第一支持ロッドの右端には第一スライドロッドが固定的に設置され、前記第一スライドロッドの右端と前記クランク円盤の左端とがクランクにより連結され、前記クランク空間の前後壁には前記第一スライドロッドの前後側に位置する第一固定ブロックが固定的に設置され、前記第一固定ブロックの中には中心側に開口した第一固定ブロックスライドレールが設置され、前記第一スライドロッドの前後両端が前記第一固定ブロックスライドレールの中に伸びており、かつ前記第一固定ブロックスライドレールの内壁に対して前後にスライドする。
【０００７】
有益なように、前記粉砕空間の下壁の中には前記押出空間の上側に位置する歯車空間が設置され、前記粉砕回転軸の下端が前記歯車空間の中に伸びており、かつ前記粉砕回転軸の下端には主動平歯車が固定的に設置され、前記歯車空間の上下壁の間には前記粉砕回転軸の右側に位置する第二回転軸が回転可能に設置され、前記第二回転軸の外周面の下端には従動平歯車が固定的に設置され、前記従動平歯車と前記主動平歯車とが噛み合っており、前記第二回転軸の外周面の上端には第一主動ベルトプーリが固定的に設置されている。
【０００８】
有益なように、前記押出空間の右壁の中には前記歯車空間の下端に位置するスライダプッシュロッド空間が設置され、前記スライダプッシュロッド空間の内壁には第一スライダが左右にスライド可能に設置され、前記第一スライダの左端には第一プッシュロッドが固定的に設置され、前記第一プッシュロッドの左端が前記押出空間の中に伸びておりかつ前記押出板の右端と固定的に連結されている。
【０００９】
有益なように、前記歯車空間の後壁と前記スライダプッシュロッド空間の後壁とが複合伝動空間により連通され、前記複合伝動空間の上壁には第三回転軸が回転可能に設置され、前記第三回転軸の外周面の上端には第一従動ベルトプーリが固定的に設置され、前記第一従動ベルトプーリと前記第一主動ベルトプーリとの間には第一ベルトが巻き付くように設置され、前記第三回転軸の下端には第三回転軸円盤が固定的に設置され、前記第三回転軸円盤の下端面の後側には第一ピンが固定的に設置され、前記複合伝動空間の下壁には第四回転軸が固定的に設置され、前記第四回転軸の上端には開口支持ロッドが回転可能に設置され、前記開口支持ロッドの中の後端には第一ピンスライド溝が上下に貫通するように形成され、前記第一ピンが前記第一ピンスライド溝の中に伸びておりかつ前記第一ピンスライド溝に対して前後方向にスライドし、前記開口支持ロッドの前端には扇状歯車が固定的に設置され、前記第一スライダの後端には支持ブロックが固定的に設置され、前記支持ブロックの後端には第二スライドロッドが固定的に設置され、前記第二スライドロッドの後端にはラックが固定的に設置され、前記ラックと前記扇状歯車とが噛み合っており、前記複合伝動空間の左右壁には前記第二スライドロッドの左右側に位置する第二固定ブロックが固定的に設置され、前記第二固定ブロックの中には中心側に開口した第二スライドロッド空間が設置され、前記第二スライドロッドの左右両端が前記第二スライドロッド空間の中に伸びておりかつ前記第二スライドロッド空間の内壁に対して左右方向にスライドする。
【００１０】
有益なように、前記複合伝動空間の上壁後端には前記第三回転軸の後側に位置する第二固定板が回転可能に設置され、前記第二固定板の中には前記複合伝動空間の後壁に回転可能に連結された第五回転軸が左右に貫通するように設置され、前記第五回転軸の前端には第二従動傘歯車が固定的に設置され、前記第三回転軸の外周面の中心には第二主動傘歯車が固定的に設置され、前記第二主動傘歯車と前記第二従動傘歯車とが噛み合っており、前記第五回転軸の外周面の後端には第二主動ベルトプーリが固定的に設置されいている。
【００１１】
有益なように、前記複合伝動空間の右壁後端にはプーリ空間が連通するように設置され、前記プーリ空間の前後壁の間には前記第一回転軸の下端に位置する第六回転軸が回転可能に設置され、前記第六回転軸の外周面には第二従動ベルトプーリが固定的に設置され、前記第二従動ベルトプーリと前記第二主動ベルトプーリとの間には第二ベルトが巻き付くように設置され、前記第六回転軸の外周面の前端には第三主動ベルトプーリが固定的に設置され、前記プーリ空間の上壁後端には上方に延びる第二プーリ空間が連通するように設置され、前記第一回転軸の後端が前記第二プーリ空間の中に伸びておりかつ前記第二プーリ空間の後壁に回転可能に連結され、前記第一回転軸の外周面の前端には第三従動ベルトプーリが固定的に設置され、前記第三従動ベルトプーリと前記第三主動ベルトプーリとの間には第三ベルトが巻き付くように設置されている。
【００１２】
有益なように、前記ろ過箱の左端の中には伸縮ロッド空間が設置され、前記伸縮ロッド空間の上壁には伸縮ロッドが固定的に設置され、前記伸縮ロッド空間の下壁には前記ろ過箱の左壁を左右に貫通したろ過出口が連通され、前記ろ過出口が前記第一通路の右壁に連通し、前記伸縮ロッドの下端には止め板が固定的に設置され、前記止め板は前記ろ過出口の中に延びることができ、前記伸縮ロッド空間の上壁の中にはエアシリンダが固定的に設置され、前記エアシリンダの下端と前記伸縮ロッドの上端とが伝動可能に連結されている。
【００１３】
有益なように、前記ろ過空間の左壁内の上端にはろ過スライドレールが設置され、前記ろ過箱の左端にはろ過スライダが固定的に設置され、前記ろ過スライダが前記ろ過スライドレールの中に伸びておりかつ前記ろ過スライドレールの内壁に対して前後方向にスライドする。
【００１４】
有益なように、前記ろ過空間の下壁右端には右下側へ前記主体の右端面に伸びた灰通路が連通され、廃棄吸い殻が前記ろ過板により灰をろ過した後、ろ過された灰が前記灰通路を介して送り出され、前記押出空間の下壁左端には左下側へ前記主体の左端面に伸びた回収物通路が連通され、前記押出板により押し出された回収物は前記回収物通路を介して送り出され、前記粉砕空間の上壁の中には起動モーターが固定的に設置され、前記起動モーターの下端と前記粉砕回転軸の上端とが伝動可能に連結されている。
【発明の効果】
【００１５】
本願発明の有益な効果は：本願発明は繰り返し運動を利用して吸い殻を間欠的に粉砕し、廃棄吸い殻を回収して再利用し、回収された吸い殻を粉砕する時にタバコの灰を集め、汚染を減少して粉塵が舞い上がることを防止し、吸い殻が環境への影響を抑える。
【図面の簡単な説明】
【００１６】
本願発明の実施例または既存の技術の中の技術方案をより詳しく説明できるため、以下は実施例または既存の技術を説明することに必要な図面に対して簡単な紹介を行い、明らかなように、以下の図面はただ本願発明の一部の実施例であり、当業者にとって、創造的な労働を払わなくても、これらの図面に基づいて他の図面を獲得することができる。下記に図１〜６を参考して本願発明について詳しく説明し、説明に便利を与えるために、後文に出る方向を以下のように規定する：図１は本願発明の正面図であり、後文に述べる上下左右前後の方向は図１の自身投影関係の上下左右前後の方向と一致である。
【００１７】
【図１】図１は本願発明の廃棄吸い殻の回収処理装置の全体構成概略図
【図２】図２は図１における「Ａ―Ａ」方向からの構成概略図
【図３】図３は図１における「Ｂ―Ｂ」方向からの構成概略図
【図４】図４は図３における「Ｃ―Ｃ」方向からの構成概略図
【図５】図５は図３における「Ｄ―Ｄ」方向からの構成概略図
【図６】図６は図１における「Ｅ―Ｅ」方向からの構成概略図
【発明を実施するための形態】
【００１８】
本願発明は廃棄吸い殻の回収処理装置に関し、主に廃棄吸い殻の回収再利用に応用され、下記に本願発明図面を合わせて本願発明を詳しく説明する。
【００１９】
本願発明の廃棄吸い殻の回収処理装置は、主体１１を含み、前記主体１１の中の右上端にはろ過装置１０１が設置され、前記ろ過装置１０１は前記主体１１の中の右上端に設置されたろ過空間２５を含み、前記ろ過空間２５の左右両壁の間にはろ過箱２７が前後にスライド可能に設置され、前記ろ過箱２７の下端にはろ過板２６が固定的に設置され、前記ろ過空間２５の上端には上方に開口した吸い殻入り口７６が連通され、廃棄吸い殻は前記吸い殻入り口７６を介して前記ろ過空間２５の中に落ちて前記ろ過箱２７の前後方向のスライドを通じて前記ろ過板２６により灰をろ過し、前記主体１１の中の左端中心には粉砕装置１０２が設置され、前記粉砕装置１０２は前記主体１１の中の左端中心に設置された粉砕空間１７を含み、前記粉砕空間１７の上下壁の間には粉砕回転軸１８が回転可能に設置され、前記粉砕回転軸１８の外周面には上下交差するように配列された三つの粉砕カッター１６が固定的に設置され、前記粉砕空間１７の上壁右端と前記ろ過空間２５の左壁下端との間には第一通路２０が連通され、廃棄吸い殻は前記ろ過装置１０１により灰をろ過してから前記第一通路２０を経由して前記粉砕空間１７の中に落ちて粉砕され、前記主体１１の中の左下端には押出装置１０３が設置され、前記押出装置１０３は前記主体１１の中の左下端に設置された押出空間１３を含み、前記押出空間１３の内壁には左右にスライド可能な押出板１４が設置され、前記押出空間１３の上壁右端と前記粉砕空間１７の下壁左端とが第二通路１５により連通され、粉砕後の吸い殻は第二通路１５を介して押出空間１３の中に落ちて押出板１４からの圧力により最終に回収される。
【００２０】
有益なように、前記ろ過空間２５の右壁の中にはクランク空間３４が設置され、前記クランク空間３４の下壁には第一固定板３５が固定的に設置され、前記第一固定板３５の中には前記クランク空間３４の左壁に回転可能に連結されたクランク回転軸３１が左右に貫通するように設置され、前記クランク回転軸３１の右端には第一従動傘歯車３２が固定的に設置され、前記クランク空間３４の後壁には第一回転軸６４が回転可能に設置され、前記第一回転軸６４の前端には第一主動傘歯車３３が固定的に設置され、前記第一主動傘歯車３３と前記第一従動傘歯車３２とが噛み合っており、前記クランク回転軸３１の外周面の左端には前記第一固定板３５の左側に位置するクランク円盤３０が固定的に設置され、前記クランク空間３４の左壁の上端と前記ろ過空間２５の右壁の上端とが小スライドレール８０により連通され、前記ろ過箱２７の右端には第一支持ロッド２８が固定的に設置され、前記第一支持ロッド２８が伸びて前記小スライドレール８０を通過して前記クランク空間３４の中に入り、前記第一支持ロッド２８の右端には第一スライドロッド２９が固定的に設置され、前記第一スライドロッド２９の右端と前記クランク円盤３０の左端とがクランクにより連結され、前記クランク空間３４の前後壁には前記第一スライドロッド２９の前後側に位置する第一固定ブロック７４が固定的に設置され、前記第一固定ブロック７４の中には中心側に開口した第一固定ブロックスライドレール７５が設置され、前記第一スライドロッド２９の前後両端が前記第一固定ブロックスライドレール７５の中に伸びており、かつ前記第一固定ブロックスライドレール７５の内壁に対して前後にスライドする。
【００２１】
有益なように、前記粉砕空間１７の下壁の中には前記押出空間１３の上側に位置する歯車空間３７が設置され、前記粉砕回転軸１８の下端が前記歯車空間３７の中に伸びており、かつ前記粉砕回転軸１８の下端には主動平歯車４３が固定的に設置され、前記歯車空間３７の上下壁の間には前記粉砕回転軸１８の右側に位置する第二回転軸４０が回転可能に設置され、前記第二回転軸４０の外周面の下端には従動平歯車４２が固定的に設置され、前記従動平歯車４２と前記主動平歯車４３とが噛み合っており、前記第二回転軸４０の外周面の上端には第一主動ベルトプーリ３９が固定的に設置されている。
【００２２】
有益なように、前記押出空間１３の右壁の中には前記歯車空間３７の下端に位置するスライダプッシュロッド空間４４が設置され、前記スライダプッシュロッド空間４４の内壁には第一スライダ４１が左右にスライド可能に設置され、前記第一スライダ４１の左端には第一プッシュロッド４５が固定的に設置され、前記第一プッシュロッド４５の左端が前記押出空間１３の中に伸びておりかつ前記押出板１４の右端と固定的に連結されている。
【００２３】
有益なように、前記歯車空間３７の後壁と前記スライダプッシュロッド空間４４の後壁とが複合伝動空間４９により連通され、前記複合伝動空間４９の上壁には第三回転軸５７が回転可能に設置され、前記第三回転軸５７の外周面の上端には第一従動ベルトプーリ４６が固定的に設置され、前記第一従動ベルトプーリ４６と前記第一主動ベルトプーリ３９との間には第一ベルト３８が巻き付くように設置され、前記第三回転軸５７の下端には第三回転軸円盤５４が固定的に設置され、前記第三回転軸円盤５４の下端面の後側には第一ピン５６が固定的に設置され、前記複合伝動空間４９の下壁には第四回転軸５９が固定的に設置され、前記第四回転軸５９の上端には開口支持ロッド５５が回転可能に設置され、前記開口支持ロッド５５の中の後端には第一ピンスライド溝５８が上下に貫通するように形成され、前記第一ピン５６が前記第一ピンスライド溝５８の中に伸びておりかつ前記第一ピンスライド溝５８に対して前後方向にスライドし、前記開口支持ロッド５５の前端には扇状歯車６０が固定的に設置され、前記第一スライダ４１の後端には支持ブロック６２が固定的に設置され、前記支持ブロック６２の後端には第二スライドロッド６９が固定的に設置され、前記第二スライドロッド６９の後端にはラック６１が固定的に設置され、前記ラック６１と前記扇状歯車６０とが噛み合っており、前記複合伝動空間４９の左右壁には前記第二スライドロッド６９の左右側に位置する第二固定ブロック７０が固定的に設置され、前記第二固定ブロック７０の中には中心側に開口した第二スライドロッド空間７１が設置され、前記第二スライドロッド６９の左右両端が前記第二スライドロッド空間７１の中に伸びておりかつ前記第二スライドロッド空間７１の内壁に対して左右方向にスライドする。
【００２４】
有益なように、前記複合伝動空間４９の上壁後端には前記第三回転軸５７の後側に位置する第二固定板４８が回転可能に設置され、前記第二固定板４８の中には前記複合伝動空間４９の後壁に回転可能に連結された第五回転軸５０が左右に貫通するように設置され、前記第五回転軸５０の前端には第二従動傘歯車４７が固定的に設置され、前記第三回転軸５７の外周面の中心には第二主動傘歯車５２が固定的に設置され、前記第二主動傘歯車５２と前記第二従動傘歯車４７とが噛み合っており、前記第五回転軸５０の外周面の後端には第二主動ベルトプーリ５１が固定的に設置されいている。
【００２５】
有益なように、前記複合伝動空間４９の右壁後端にはプーリ空間７２が連通するように設置され、前記プーリ空間７２の前後壁の間には前記第一回転軸６４の下端に位置する第六回転軸６３が回転可能に設置され、前記第六回転軸６３の外周面には第二従動ベルトプーリ６８が固定的に設置され、前記第二従動ベルトプーリ６８と前記第二主動ベルトプーリ５１との間には第二ベルト５３が巻き付くように設置され、前記第六回転軸６３の外周面の前端には第三主動ベルトプーリ８５が固定的に設置され、前記プーリ空間７２の上壁後端には上方に延びる第二プーリ空間６６が連通するように設置され、前記第一回転軸６４の後端が前記第二プーリ空間６６の中に伸びておりかつ前記第二プーリ空間６６の後壁に回転可能に連結され、前記第一回転軸６４の外周面の前端には第三従動ベルトプーリ６５が固定的に設置され、前記第三従動ベルトプーリ６５と前記第三主動ベルトプーリ８５との間には第三ベルト６７が巻き付くように設置されている。
【００２６】
有益なように、前記ろ過箱２７の左端の中には伸縮ロッド空間８１が設置され、前記伸縮ロッド空間８１の上壁には伸縮ロッド２４が固定的に設置され、前記伸縮ロッド空間８１の下壁には前記ろ過箱２７の左壁を左右に貫通したろ過出口７８が連通され、前記ろ過出口７８が前記第一通路２０の右壁に連通し、前記伸縮ロッド２４の下端には止め板７７が固定的に設置され、前記止め板７７は前記ろ過出口７８の中に延びることができ、前記伸縮ロッド空間８１の上壁の中にはエアシリンダ２３が固定的に設置され、前記エアシリンダ２３の下端と前記伸縮ロッド２４の上端とが伝動可能に連結されている。
【００２７】
有益なように、前記ろ過空間２５の左壁内の上端にはろ過スライドレール２１が設置され、前記ろ過箱２７の左端にはろ過スライダ２２が固定的に設置され、前記ろ過スライダ２２が前記ろ過スライドレール２１の中に伸びておりかつ前記ろ過スライドレール２１の内壁に対して前後方向にスライドする。
【００２８】
有益なように、前記ろ過空間２５の下壁右端には右下側へ前記主体１１の右端面に伸びた灰通路３６が連通され、廃棄吸い殻が前記ろ過板２６により灰をろ過した後、ろ過された灰が前記灰通路３６を介して送り出され、前記押出空間１３の下壁左端には左下側へ前記主体１１の左端面に伸びた回収物通路１２が連通され、前記押出板１４により押し出された回収物は前記回収物通路１２を介して送り出される。
【００２９】
有益なように、前記粉砕空間１７の上壁の中には起動モーター１９が固定的に設置され、前記起動モーター１９の下端と前記粉砕回転軸１８の上端とが伝動可能に連結されている。
【００３０】
下記に図１〜６を合わせて本願発明の廃棄吸い殻の回収処理装置の使用手順について詳しく説明する。
【００３１】
初期状態の時、伸縮ロッド２４が長く伸びており、止め板７７が下降して一番下に位置している。
【００３２】
作動の時、廃棄吸い殻が吸い殻入り口７６によりろ過空間２５の中に落ちてろ過板２６に位置し、この時、起動モーター１９を起動して粉砕回転軸１８を駆動して回転させ、そして主動平歯車４３を駆動して回転させ、噛合による動力伝達を通じて従動平歯車４２を駆動して回転させ、そして第二回転軸４０を駆動して回転させ、さらに第一主動ベルトプーリ３９を駆動して回転させ、ベルトによる動力伝達を通じて第一従動ベルトプーリ４６が駆動されて回転して第二主動傘歯車５２を駆動して回転させ、傘歯車の噛合により第二従動傘歯車４７が駆動されて回転して第五回転軸５０を駆動して回転させ、そして第二主動ベルトプーリ５１を駆動して回転させ、ベルトによる動力伝達を通じて第二従動ベルトプーリ６８が駆動されて回転して第六回転軸６３を駆動して回転させ、そして第三主動ベルトプーリ８５を駆動して回転させ、ベルトによる動力伝達を通じて第三従動ベルトプーリ６５が駆動されて回転して第一回転軸６４を駆動して回転させ、そして第一主動傘歯車３３を駆動して回転させ、傘歯車の動力伝達を通じて第一従動傘歯車３２が駆動されて回転してクランク回転軸３１を駆動して回転させ、そして第一スライドロッド２９を駆動して回転させ、クランクによる連結を通じて第一スライドロッド２９が駆動されて前後にスライドして小スライドレール８０により連結されたろ過箱２７を駆動して前後にスライドさせ、ろ過板２６により廃棄吸い殻に灰をろ過させ、廃棄吸い殻がろ過された後にろ過板２６の左端底部に積り、この時にエアシリンダ２３が起動されて伸縮ロッド２４を駆動して収縮させ、そして止め板７７を駆動して上方に移動させ、ろ過された後の廃棄吸い殻は第一通路２０を介して粉砕回転軸１８の中に落ち、その後、伸縮ロッド２４が長く伸びて止め板７７を下方へ一番下に位置するまで駆動し、この過程において、粉砕回転軸１８が回転して粉砕カッター１６に吸い殻を粉砕させ、粉砕後の廃棄物は第二通路１５を介して押出空間１３の中に落ち、この過程において、第三回転軸５７が回転して第三回転軸円盤５４を駆動して回転させ、第一ピン５６の第一ピンスライド溝５８に対する前後方向へのスライドにより開口支持ロッド５５に第四回転軸５９に対して左右方向の往復運動を行わせ、そして扇状歯車６０が駆動されて左右方向の往復運動を行い、歯車とラックの噛合により第二スライドロッド６９が駆動されて左右方向の往復運動を行って支持ブロックにより連結された第一スライダ４１に左右方向の往復運動を行わせ、そして第一プッシュロッド４５により連結された押出板１４が駆動されて左右方向の往復運動を行い、こうして廃棄物への毎回の押出を実現し、押し出された後の廃棄物が回収物通路１２を介して本願発明から出る。
【００３３】
本願発明の有益な効果は：本願発明は繰り返し運動を繰り返してを利用して吸い殻を間欠的に粉砕し、廃棄吸い殻を回収して再利用し、回収された吸い殻を粉砕する時にタバコの灰を集め、汚染を減少して粉塵が舞い上がることを防止し、吸い殻が環境への影響を抑える。
【００３４】
上記の方式によって、当業者は本発明の範囲内で作動モードに基づいて様々な変わりを行える。
【要約】
【課題】本発明は廃棄吸い殻の回収処理装置を開示した。
【解決手段】
主体を含み、前記主体の中の右上端にはろ過装置が設置され、前記ろ過装置は前記主体の中の右上端に設置されたろ過空間を含み、前記ろ過空間の左右両壁の間にはろ過箱が前後にスライド可能に設置され、前記ろ過箱の下端にはろ過板が固定的に設置され、前記ろ過空間の上端には上方に開口した吸い殻入り口が連通され、廃棄吸い殻は前記吸い殻入り口を介して前記ろ過空間の中に落ちて前記ろ過箱の前後方向のスライドを通じて前記ろ過板により灰をろ過し、前記主体の中の左端中心には粉砕装置が設置され、本願発明は繰り返し運動を繰り返してを利用して吸い殻を間欠的に粉砕し、廃棄吸い殻を回収して再利用し、回収された吸い殻を粉砕する時にタバコの灰を集め、汚染を減少して粉塵が舞い上がることを防止し、吸い殻が環境への影響を抑える。
【選択図】図１【図１】
0006814352.tif 000002
【図２】
0006814352.tif 000003
【図３】
0006814352.tif 000004
【図４】
0006814352.tif 000005
【図５】
0006814352.tif 000006
【図６】
0006814352.tif 000007